(57)【要約】【課題】歯の清掃をするために、歯ブラシと糸ようじを持ちかえるのは二度手間である。歯ブラシと糸ようじを同時に使用できる道具を提供する。【解決手段】歯ブラシの植毛部１に糸ようじ４を装着可能にすることによって、歯の清掃の際の手間を省略できるようにした。【選択図】図１
2017148466.tif 000002
【特許請求の範囲】
【請求項１】
歯ブラシに糸ようじを装着可能にしたことで、歯の表面と歯間を同時に清掃できるようにした。
【請求項２】
ブラシの植毛部にくぼみを設け、糸ようじをスライド式に装着できるようにした。糸ようじには凸部、くぼみに凹部を設け、スナップボタンの要領で止める仕様にすることで、歯間の清掃の最中に糸ようじが外れることを防ぐ。糸ようじの交換が可能なことで、衛生面でも安全である。
【請求項３】
植毛部に隙間を空けて毛を設置することで、糸ようじの最中に毛が歯に当たらないようにした。また、これにより、奥歯の窪み等、従来では磨きにくい箇所を磨きやすくなった。
【発明の詳細な説明】
【技術分野】
【０００１】  本発明は、歯ブラシの植毛部に糸ようじの装着を可能にすることで、歯間及び歯の表面の清掃を同時に行うことができるようにしたものである。
【背景技術】
【０００２】  歯間及び歯の表面の双方を清潔に保つためには、歯間ブラシやフロスと、歯ブラシを行う必要があるが、従来はこれらを同時に行うことはできなかった。
【発明の概要】
【発明が解決しようとする課題】
【０００３】  歯の清掃という１つの目的に対し、歯の表面及び歯間の両方を清掃するために道具を持ち替えることは手間である。また、歯間を清掃するためにフロスを使用する場合、手が汚れやすいといった難点がある。
【課題を解決するための手段】
【０００４】  植毛部１のくぼみ３に取り付け部６を装着することにより、歯ブラシと糸ようじを同時に行えるようにした。また、植毛部１に隙間を空けて毛２を取り付けることで、毛を歯に当てずに糸ようじの使用を可能にした。
【発明の効果】
【０００５】  歯ブラシの植毛部１に糸ようじ５の装着を可能にしたことにより、歯の表面と歯間を同時に清掃することができるようになった。歯の清掃における道具を１つにまとめたことにより、道具の持ち替えの煩わしさが軽減、時間の短縮にもつながる。
糸ようじの交換を可能にしたことにより、衛生面でも安心して使用することができる。
また、隙間を空けて毛２を取り付けることで、フロスの際に毛が歯に当たらないようにしただけでなく、奥歯の窪み等、従来では磨きにくかった箇所にも手が届くようになった。
【図面の簡単な説明】
【０００６】
【図１】本発明を斜め上から見た図である。
【発明を実施するための形態】
【０００７】以下、本発明の実施の形態について説明する。
（イ）植毛部１にくぼみ３を設ける。このくぼみ３がスライド式に歯間ブラシ５を装着させるための箇所となる。
（ロ）くぼみ３に凸部４を設ける。取り付け部６には凸部７を設け、スナップボタンの要領で装着する。
【符号の説明】
【０００８】１  植毛部
２  毛
３  くぼみ
４  凹部
５  糸ようじ
６  取り付け部
７  凸部
【図１】
2017148466.tif 000003
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
糸ようじを植毛部内部に装着できるようにした歯ブラシ。
【手続補正２】
【補正対象書類名】明細書
【補正対象項目名】全文
【補正方法】変更
【補正の内容】
【発明の詳細な説明】
【技術分野】
【０００１】  本発明は、歯ブラシの植毛部に糸ようじの装着を可能にすることで、歯間及び歯の表面の清掃を同時に行うことができるようにしたものである。
【背景技術】
【０００２】  歯間及び歯の表面の双方を清潔に保つためには、歯間ブラシやフロスと、歯ブラシを行う必要があるが、従来はこれらを同時に行うことはできなかった。
【発明の概要】
【発明が解決しようとする課題】
【０００３】  歯の清掃という１つの目的に対し、歯の表面及び歯間の両方を清掃するために道具を持ち替えることは手間である。また、歯間を清掃するためにフロスを使用する場合、手が汚れやすいといった難点がある。
【課題を解決するための手段】
【０００４】植毛部１のくぼみ３に取付部５を用いて装着することにより、歯ブラシと糸ようじを同時に行えるようにした。
【発明の効果】
【０００５】  歯ブラシの植毛部１に糸ようじ４の装着を可能にしたことにより、歯の表面と歯間を同時に清掃することができるようになった。歯の清掃における道具を１つにまとめたことにより、道具の持ち替えの煩わしさが軽減、時間の短縮にもつながる。
【図面の簡単な説明】
【０００６】
【図１】本発明を斜め上から見た図である。
【図２】糸ようじを植毛部に装着したものを横から見た図である。
【図３】植毛部に毛がない状態で糸ようじを装着したものを横から見た図である。（参考）
【図４】糸ようじを装着した歯ブラシの使用例である。（歯ブラシを使用する場合。）
【図５】糸ようじを装着した歯ブラシの使用例である。（糸ようじを使用する場合。）
【発明を実施するための形態】
【０００７】植毛部１にくぼみ３を設ける。このくぼみ３に取り付け部５をスライドさせることにより糸ようじ４を装着させる。
【符号の説明】
【０００８】１  植毛部
２  毛
３  くぼみ
４  糸ようじ
５  取付部
【手続補正４】
【補正対象書類名】図面
【補正対象項目名】全図
【補正方法】変更
【補正の内容】
【図１】
2017148466.tif 000004
【図２】
2017148466.tif 000005
【図３】
2017148466.tif 000006
【図４】
2017148466.tif 000007
【図５】
2017148466.tif 000008
【手続補正書】
【提出日】平成29年4月23日(2017.4.23)
【手続補正１】
【補正対象書類名】特許請求の範囲
【補正対象項目名】全文
【補正方法】変更
【補正の内容】
【特許請求の範囲】
【請求項１】
植毛部の中心部の毛を取り除き、そこにくぼみを設け専用の取り付け部を用いることにより、スライドさせることで糸ようじを植毛部内部に装着及び取り外しをできるようにし、歯の表面及び歯間の清掃を同時に行えるようにした歯ブラシ。
【手続補正２】
【補正対象書類名】明細書
【補正対象項目名】全文
【補正方法】変更
【補正の内容】
【発明の詳細な説明】
【技術分野】
【０００１】  本発明は、歯ブラシの植毛部に糸ようじの装着を可能にすることで、歯間及び歯の表面の清掃を同時に行うことができるようにしたものである。
【背景技術】
【０００２】  歯間及び歯の表面の双方を清潔に保つためには、歯間ブラシやフロスと、歯ブラシを行う必要があるが、従来はこれらを同時に行うことはできなかった。
【発明の概要】
【発明が解決しようとする課題】
【０００３】  歯の清掃という１つの目的に対し、歯の表面及び歯間の両方を清掃するために道具を持ち替えることは手間である。また、歯間を清掃するためにフロスを使用する場合、手が汚れやすいといった難点がある。
【課題を解決するための手段】
【０００４】  植毛部１のくぼみ３に取付部５を用いて装着することにより、歯ブラシと糸ようじを同時に行えるようにした。
【発明の効果】
【０００５】  歯ブラシの植毛部１に糸ようじ４の装着を可能にしたことにより、歯の表面と歯間を同時に清掃することができるようになった。歯の清掃における道具を１つにまとめたことにより、道具の持ち替えの煩わしさが軽減、時間の短縮にもつながる。また、糸ようじ４の取り外しが可能であるため、糸ようじのみの交換が可能であり、衛生面でも安心して使用することができる。
【図面の簡単な説明】
【０００６】
【図１】本発明を斜め上から見た図である。
【図２】糸ようじを植毛部に装着したものを横から見た図である。
【図３】植毛部に毛がない状態で糸ようじを装着したものを横から見た図である。（参考）
【図４】糸ようじを装着した歯ブラシの使用例である。（歯ブラシを使用する場合。）
【図５】糸ようじを装着した歯ブラシの使用例である。（糸ようじを使用する場合。）
【発明を実施するための形態】
【０００７】  植毛部１にくぼみ３を設ける。このくぼみ３に取り付け部５をスライドさせることにより糸ようじ４を装着させる。糸ようじ４を取り外す場合は、同様に取り付け部５をスライドさせる。
【符号の説明】
【０００８】  １  植毛部
２  毛
３  くぼみ
４  糸ようじ
５  取付部